(57)【特許請求の範囲】
【請求項１】
本体内に基板が配置されて、該基板に搭載された電気回路部に強電線および弱電線を接続するため、該本体の平面部に電線引込口を備える電気機器において、
該電線引込口は、前記強電線と前記弱電線とを離間させるため、前記電線引込口を覆うとともに、必要に応じ各電線を挿通させる複数の開口が形成された平面板であるセパレータを備え、前記強電線と前記弱電線とを押返すことを特徴とする電気機器。
【発明の詳細な説明】
【０００１】
【産業上の利用分野】
本発明は、各種電線が接続される電気機器に関する。
【０００２】
【従来の技術】
各種の電線が接続される電気機器として、例えば、居室等の壁面に設置される住宅情報盤において、図３に示されるように、１は受話器、２はカバー、３は本体、４は埋込ボックスであって、本体３の背面側から電線引込口３１を通して、図４のように、電源線ＰＬおよび各種信号線ＳＬが引き込まれている。この電源線ＰＬは通常１００Ｖの強電であり、また、信号線ＳＬは通常１２Ｖまたは２４Ｖ程度の弱電であって、これらの電線を混在させることは、電源線ＰＬの電圧変動等が信号線ＳＬに誘導されて機器を誤動作させるおそれがあるとして好まれない。そこで、従来から、強電側端子台３２と弱電側端子台３３ａ、３３ｂとで電線を接続する端子台を分けて配置したり、さらに、壁面内部に配線するとき、図５に示すような、いわゆる埋込ボックス４内においてその内部を二分する隔壁４１を設け、強電側の電源線ＰＬと弱電側の信号線ＳＬとがなるべく離れるように工夫されている。
【０００３】
【発明が解決しようとする課題】
しかし、近年、このような電気機器を施工する際には、人件費等の関係で作業が簡便な機器が好まれる。そして、配線作業を簡便にするためには、電気機器が設置される前の電線のみの配線状態では、壁面の埋込ボックスから比較的余裕をもって電線が露出されるとともに、実際の電気機器取付時に余分の電線は、埋込ボックスまたは電気機器内に押し込められ、結果的に、電気機器内で予想外に強電側と弱電側との電線が接触してしまうことが起こり得る。
【０００４】
したがって、この発明は、電気機器内において確実に強電側と弱電側の電線を接触させずに取付けることを目的としている。
【０００５】
【課題を解決するための手段】
この発明は、本体内に基板が配置されて、該基板に搭載された電気回路部に強電線および弱電線を接続するため、該本体の平面部に電線引込口を備える電気機器において、該電線引込口は、前記強電線と前記弱電線とを離間させるため、前記電線引込口を覆うとともに、必要に応じ各電線を挿通させる複数の開口が形成された平面板であるセパレータを備え、前記強電線と前記弱電線とを押返すことを特徴とすることを特徴とするものである。
【０００７】
【発明の実施の形態】
以下、この発明の参考例について説明する。図１は、参考例である電気機器としての住宅情報盤の一部断面右側面図であり、全体構造として従来の技術として示した図３から図５と同様の構造を有するものであり、同一部材には同一の符号を付与する。
【０００８】
この本体３内には、平面部３６に対して略一面に、詳細に説明しない電気回路部が搭載される基板３４が配置され、平面部３６の電線引込口３１と同様に基板３４にも開口が設けられている。そして、この電線引込口３１の周囲には、本体３を埋込ボックス４または直接壁面にねじ止めするための取付穴３５が６ヶ所、本体３の平面部３６に配置されている。これらの取付穴３５のうち４個については、埋込ボックス４の４個のねじ穴４２に対応しており、４本のねじ６１によって本体３が埋込ボックス４にねじ止めできるようになっている。
【０００９】
そして、６個の取付穴３５のうち、中央部分の上下２個については使われないことが多く、この第１の実施形態では、これら２個の取付穴３５を利用してセパレータとしての板状の隔壁５を取付けている。この隔壁５の両端には、略Ｌ字状の引掛部５１が形成され、引掛部５１のそれぞれの先端を取付穴３５に挿入して装着できるようになっている。この隔壁５の平面部５２は、略埋込ボックス４内の隔壁４１近傍から、本体３内に配置される基板３４を余裕をもって超える位置までの幅に形成されている。この平面部５２によって、電線引込口３１から引込まれた図示しない電線は、隔壁５に区画された一方から他方へ渡ることを防止することができる。なお、この平面部５２の幅としては、埋込ボックス４内の隔壁４１の近傍または本体３平面部３６のいずれかの位置を一端として、基板３４を超える位置からカバー２内面近傍までの位置を他端とする範囲が選択できる。
【００１０】
このように構成される参考例の住宅情報盤は、次のように取付作業が行われる。まず、共同住宅等の部屋の壁面に埋込ボックス４が予め埋込み設置されていて、その埋込ボックス４には、図示しない必要な電線、上記の電源線や各種信号線が配設されて、隔壁４１によって振分けられて引出されている。この埋込ボックス４に、まず本体３を取付ける。
【００１１】
この本体３の取付は、上記のように、埋込ボックス４の４個のねじ穴４２に本体３の取付穴３５を位置合わせして、４本のねじ６１によってねじ止めして本体３を固定する。この固定の際には、埋込ボックス４から引出されている電線（図４の電源線ＰＬおよび信号線ＳＬ）を電線引込口３１に通して行われ、本体３の固定状態で図１では図示しない電線は、電線引込口３１から引出されている。ここで、セパレータとしての隔壁５を取付ける。
【００１２】
本体３の電線引込口３１から引出されている図１に示さない電線を、埋込ボックス４内に合わせて振分け、セパレータとしての隔壁５の両端の引掛部５１を、使用していない取付穴３５に挿入して取付ける。このように、隔壁５を取付けると、埋込ボックス４から振分けられているのと同様に、電線引込口３１からも隔壁５により振分けられている状態となる。
【００１３】
この状態で、強電側の電源線ＰＬを強電側端子台３２に接続するとともに、弱電側の各種信号線ＳＬを弱電側端子台３３ａ、３３ｂに接続する。このとき、もしこれら電線が長く余ったとしても、振分けられた電線が近接することはなく、隔壁５の平面部５２によって分離されることとなる。
【００１４】
なお、セパレータとしての隔壁５の配置は、埋込ボックス４の隔壁４１の位置に合わせて設けられてよいが、電線本数の関係で一方の領域（通常信号線ＳＬ側の本数が多いので信号線ＳＬ側の領域）が広くなるように、湾曲させる等で形成してもよく、また、簡単に許容範囲内で中央位置をずらすように隔壁５を配置してもよい。
【００１５】
このように内部に配線を行った後、本体３にカバー２を被せる。カバー２は、詳細に説明しないが、本体３との嵌合構造を有しており、位置合わせして本体に装着される。さらに、カバー２には受話器１が設置され、詳細に説明しないが、受話器１のコネクタがカバー２の端子部に接続される。こうして、壁面に住宅情報盤が取付けられる。
【００１６】
つぎに、この発明の実施形態について説明する。図２はこの実施形態に使用するセパレータとしての平面板７の斜視図であり、上記の参考例と同様に、図１および図３から図５に示される電気機器しての住宅情報盤に使用されるものである。したがって、全体構造として参考例と同様の構造を有し、同一部材には同一の符号を付与して重複する説明は省略する。
【００１７】
図２において、セパレータとしての平面板７は、平面部７１によって本体３の電線引込口３１をほぼ覆う大きさに形成され、その平面部７１の各角部に、本体３に装着するため、本体３の取付穴３５の配置に合わせて取付部７２がそれぞれ形成されている。
【００１８】
これらの取付部７２は本体３に形成された６個の取付穴３５と共締めされるように形成され、この取付部７２を利用したねじ止めであってもよいが、図２にしめすようなワンタッチで押込まれる円錐形の頭部を備えた止め具７４を押込んで止めるようにすると、取付が簡便となる。
【００１９】
そして、平面部７１には、４列×５列で２０個の開口７３が形成されていて、これらには本体３内の各端子台３２、３３ａ、３３ｂの位置による都合に合わせて、必要な開口７３に図２に示さない電線を挿通させる。
【００２０】
この平面部７１は、ほぼ基板３４の位置で電線引込口３１を覆うことになるが、各開口７３から引き出される図２に示さない電線は、開口７３の部分において位置決めされ、各端子台３２、３３ａ、３３ｂへの配線後に、余り部分を押返すことでほぼ埋込ボックス４内の隔壁４１で形成された一方のスペースに押込むことができ、開口７３の部分で電線の位置決めを行うことで、本体３側での強電側と弱電側との電線（図４の電源線ＰＬおよび信号線ＳＬ）が近接することを防止することができる。
【００２１】
このように構成されるこの発明の実施形態の住宅情報盤は、次のように取付作業が行われる。まず、参考例と同様、埋込ボックス４が予め埋込み設置され、その埋込ボックス４に、まず本体３を取付けた後、セパレータとしての平面板７を取付ける。このとき、止め具７４を用いることで、簡便に固定することができる。
【００２２】
本体３の電線引込口３１から引出されている電線（図４の電源線ＰＬおよび信号線ＳＬ）を、所定の接続先である各端子台３２、３３ａ、３３ｂに合わせて平面板７の開口７３いずれかに通す。そして、平面板７の各引掛部７２をそれぞれ対応する取付穴３５に挿入して取付ける。このように、平面板７を取付けると、電線引込口３１から平面板７により、図２に示さない電線が振分けられている状態となる。
【００２３】
この状態で、強電側の電源線ＰＬを強電側端子台３２に接続するとともに、弱電側の各種信号線ＳＬを弱電側端子台３３ａ、３３ｂに接続する。このとき、もし電線が長く余ったとしても、開口７３から押し込むことで埋込ボックス４内で分離され、本体３側において強電側と弱電側との電線が近接することはない。
【００２４】
この後、参考例と同様に、本体３にカバー２を被せ、カバー２に受話器１が設置される。
【００２５】
このようなこの発明の実施形態において、平面板７に対して参考例の隔壁５の形状を組合せることもでき、その場合には、さらに確実に強電および弱電の電線を振分けることが可能となる。なお、この実施形態における平面板７においては、本体３の基板３４上にある端子台３３ａ、３３ｂが二辺に設けられているときに、複数の開口７３を選択して位置を選択することができるので、参考例より方向の自由度から配線作業が行いやすい。
【００２６】
上記各実施形態において、セパレータとしての隔壁５または平面板７の材質は丈夫なものが好ましく、電源線ＰＬおよび信号線ＳＬに用いる電線が硬くまた束になっても、その応力に対抗できる材質が好ましい。
【００２７】
また、上記各実施形態は、電気機器として住宅情報盤について説明してきたが、本体引込口から強電側および弱電側の電線を引き込む形態を備える電気機器であればよく、さらに、埋込ボックス４を必ず用いる必要はなく、本体に対してダイレクトに電線を通すパイプがつながっていたり、設置面内部が空間である場合、あるいは、露出で配線されているもの等であってもよい。
【００２８】
以上のような、各実施形態に基づいて、内部の電気回路部に強電線および弱電線を接続するため本体に電線引込口を備える電気機器において、該電線引込口は、前記強電線と前記弱電線とを離間させるセパレータを備え、電気機器内において確実に強電側と弱電側の電線を接触させずに取付けることができる。
【００２９】
また、セパレータは、電線開口部をほぼ覆うとともに、必要に応じ各電線を挿通させる複数の開口が形成された平面板によるもので、強電線と弱電線とを押返すことで、強電側および弱電側の電線接触を防止することができる。
【図面の簡単な説明】
【図１】参考例としての住宅情報盤の一部断面右側面図。
【図２】この発明の実施形態に利用する平面板の斜視図。
【図３】従来の技術の電気機器を示す住宅情報盤の取付図。
【図４】図３の本体に電線を結線した状態の斜視図。
【図５】図３の埋込ボックスから電線を引き出した状態を示す斜視図。
【符号の説明】
３ 本体
３１ 電線引込口
５ 隔壁
７ 平面板
【図１】
0004239189.tif 000002
【図２】
0004239189.tif 000003
【図３】
0004239189.tif 000004
【図４】
0004239189.tif 000005
【図５】
0004239189.tif 000006